(57)【要約】【課題】対象に対してケースの側面方向から照明できるとともにケースが熱くなりにくい照明装置を提供すること。【解決手段】胴部に照明用窓孔１３が形成された筒状のケース１２と、ケース１２内に収容され、照明用窓孔１３に面して発光バルブが配置されるランプユニットと、発光バルブと照明用窓孔１３の間に配置される窓用ガラス４８と、発光バルブを挟んだ照明用窓孔１３と対向する位置に配置され同発光バルブの光及び熱を前記照明用窓孔方向に反射させる反射板とを備えた照明装置１１であって、窓用ガラス４８及び反射板によって発光バルブを包囲するとともに、窓用ガラス４８及び反射板はケース１２と直接接することがないように第１の蓋部２０と第３の蓋部３０によって支持させるようにした。また、照明装置１１の外部に露出した部分には植毛処理がされている。【選択図】      図１
0003115033.tif 000002
【実用新案登録請求の範囲】
【請求項１】
胴部に照明用窓孔が形成された筒状のケースと、
同ケース内に収容され、前記照明用窓孔に面して発光バルブが配置されるランプユニットと、
前記発光バルブと前記照明用窓孔の間に配置される窓用ガラスと、
前記発光バルブを挟んだ前記照明用窓孔と対向する位置に配置され同発光バルブの光及び熱を前記照明用窓孔方向に反射させる反射部材とを備えた照明装置であって、
前記窓用ガラス及び前記反射部材によって前記発光バルブを包囲するとともに、同窓用ガラス及び同反射部材は前記ケースと直接接することがないようにしたことを特徴とする照明装置。
【請求項２】
前記ケースには前記反射部材の背面側において放熱孔が形成されていることを特徴とする請求項１に記載の照明装置。
【請求項３】
前記前記発光バルブは前記ケースの仕切部材を基部として同ケースの軸方向に沿って突起するように固定され、前記反射部材は前方側ほど拡開された対向する反射面を有する溝状の内面形状をなし、同反射部材の内面側によって同発光バルブの前記照明用窓孔側を除く三方を包囲するようにしたことを特徴とする請求項１又は２に記載の照明装置。
【請求項４】
前記ケースの仕切部材は所定間隔で複数配設され、前記窓用ガラスはその両端部において２つの仕切部材間に架設されていることを特徴とする請求項１〜３のいずれかに記載の照明装置。
【請求項５】
前記窓用ガラスはその両端部において２つの仕切部材間に架設されるとともに、前記反射部材は仕切部材に固着され、同反射部材の先端縁は前記窓用ガラスの側縁部分と接して同窓用ガラスを支持することを特徴とする請求項３に記載の照明装置。
【請求項６】
前記ケースの外周は植毛処理されていることを特徴とする請求項１〜５のいずれかに記載の照明装置。
【考案の詳細な説明】
【技術分野】
【０００１】
本考案は、例えば車両の衝突試験の際に撮影用の光源として車両に搭載して好適な照明装置に関するものである。
【背景技術】
【０００２】
車両の衝突試験におけるデータ入手方法の１つとして従来から車両に小型カメラを搭載し、衝突によって車両に生ずる衝撃の状況を記録するためスチール写真を撮影するようにしている。このような衝突試験に関する技術は多々存するが一例として特許文献１を挙げる。
スチール写真の撮影においてはカメラのシャッタースピードが高速となるため、光源として高輝度のランプを光源とした照明装置を用いることが多い。また、スチール写真以外の映像として記録する場合にも十分な照度が得られない場合には高輝度の照明装置を使用して撮影することがある。
近年、ＣＣＤカメラの開発によってカメラは非常に小型化し、以前では撮影できなかった車内の細部、例えばドア内部や計器やボンネット奥部等も撮影が可能となってきている。そして、カメラの小型化に伴って光源となる照明装置の小型化も求められてきている。しかし、カメラは小型化できても照明装置を小型化する際にはいくつかの課題が生じているのが現状である。
【特許文献１】特開２００１−１４７１７３号公報
【考案の開示】
【考案が解決しようとする課題】
【０００３】
その課題の一つとして照明装置の加熱が挙げられる。車内の細部を撮影するために照明装置をセットする際には陰影が撮影の邪魔をしないように照明の照射方向について非常に慎重にセッティングしなければならない。更に、カメラの最適な撮影条件の設定（露出等の設定）のためには照明装置は調整の段階ですでに発光させておく必要がある。このような点から細部撮影では照明装置を仮固定した後で何度も微調整をすることとなる。
ところが、高輝度のランプでは発光に発熱を伴うため、従来ではその作業の際に照明装置が極めて高温となってしまい、何度も微調整をする間に不用意に照明装置に触れてやけどをしてしまうという可能性があった。
今一つは、従来の照明装置の発光バルブの位置についての課題である。
従来の照明装置９１では図１１に示すようにケース９２先端に発光バルブ９３が配置されている。照明装置９１のケース９２先端に発光バルブ９３を設けることは反射板９４によって発光バルブ９３の後方全域を包囲できるためケース９２内に熱がこもりにくく比較的ケース９２の高温下の抑制となるものの、これを車内の狭い場所にセットする際にケース９２の長さが邪魔になって非常にセットしにくくなってしまうことになっていた。
本考案は、このような従来の技術に存在する問題点に着目してなされたものである。その目的とするところは、対象に対してケースの側面方向から照明できるとともにケースが熱くなりにくい照明装置を提供することにある。
【課題を解決するための手段】
【０００４】
上記の目的を達成するための第１の手段として、胴部に照明用窓孔が形成された筒状のケースと、同ケース内に収容され、前記照明用窓孔に面して発光バルブが配置されるランプユニットと、前記発光バルブと前記照明用窓孔の間に配置される窓用ガラスと、前記発光バルブを挟んだ前記照明用窓孔と対向する位置に配置され同発光バルブの光及び熱を前記照明用窓孔方向に反射させる反射部材とを備えた照明装置であって、前記窓用ガラス及び前記反射部材によって前記発光バルブを包囲するとともに、同窓用ガラス及び同反射部材は前記ケースと直接接することがないようにしている。
このような構成とすると、筒状のケース内に収容されたランプユニットはその発光バルブがケースの胴部の照明用窓孔に面して配置されることとなり、従来の照明装置とは異なりケースの端部から照明するのではなく、ケースの側面方向から照明することができるので、狭い場所にセットすることが可能となる。
そして、熱源となる発光バルブ前方に配置される窓用ガラスはケースと直接接することがないように保持され、同じく反射部材もケースと直接接することがないように保持されているため、発光バルブ近傍で熱せられた窓用ガラス及び反射部材の熱がケースに伝わりにくくなっている。また、発光バルブは反射部材によって包囲されているため、基本的に光りと熱は照明用窓孔方向に集中することとなる。また、窓用ガラス及び反射部材とケースとの間には空隙を構成することとなるため、ケース内の熱はこの空隙を通して照明用窓孔から放熱されることとなる。
【０００５】
第２の手段では第１の手段に加え、前記ケースには前記反射部材の背面側において放熱孔を形成するようにしている。
このような構成によって、上記のようにケース内の熱はこの空隙を通して照明用窓孔から放熱されるとともに、この放熱孔からも放熱される。この位置に放熱孔を設けることは放熱の点から最も効率がよいためである。もっとも、反射部材の反射面側（前面側）を除いてケースのその他の面に放熱孔を設けることは自由である。
【０００６】
第３の手段では第１又は第２の手段に加え、前記前記発光バルブを前記ケースの仕切部材を基部として同ケースの軸方向に沿って突起するように固定し、前記反射部材を前方側ほど拡開された対向する反射面を有する溝状の内面形状とし、同反射部材の内面側によって同発光バルブの前記照明用窓孔側を除く三方を包囲するようにしている。
胴部に照明用窓孔することによってケースの側面方向からの照明が可能になるものの、照明用窓孔方向以外に指向する光を照明用窓孔方向に集中させることが光量を増やす点から好ましい。そのため、発光バルブを前記ケースの仕切部材を基部として同ケースの軸方向に沿って突起するように固定した場合には反射部材を前方側ほど拡開された対向する反射面を有する溝状の内面形状となし、同発光バルブの前記照明用窓孔側を除く三方を包囲するようにしている。
まず、発光バルブはこのような方向で取着されることがケース内のスペースの点から好ましい。そして反射部材の形状を前方側ほど拡開された対向する反射面を有する溝状の内面形状とすることで、照明用窓孔に指向する光以外の光を照明用窓孔方向に反射させ光量をアップすることが可能となっている。しかも、作業時に作業者が接触する可能性のある発光バルブ後方は発光バルブを反射部材は三方から包囲しているため発光バルブ後方へ熱が伝わりにくくなる。
ここに、溝状の内面形状とは内面が凹状で反射光を前方に導くことができれば特に限定されることはなく、例えば実施の形態以外にも椀形状を採用することも可能である。
また、照明用窓孔側を除く三方を包囲するとしたのは照明用窓孔に直接指向する光以外を概ね反射させるという主旨であって、どこまでを三方包囲であるといえるか厳密に画定できるものではない。
【０００７】
第４の手段では第１〜第３のいずれかの手段に加え、前記ケースの仕切部材は所定間隔で複数配設され、前記窓用ガラスはその両端部において２つの仕切部材間に架設されるようにしている。
複数の仕切部材はケースを封塞するとともに、ケース内部に配置される各種構成部材の支持を行う。窓用ガラスは２つの仕切部材間に架設されることでケースとの間の空隙を維持できるとともに、両端部のみで支持されることとなるため窓用ガラスの熱が仕切部材間に伝わりにくく、従って仕切部材を介したケースへの熱伝達も少なくなる。
【０００８】
第５の手段では第３の手段に加え、前記窓用ガラスはその両端部において２つの仕切部材間に架設されるとともに、前記反射部材は仕切部材に固着され、同反射部材の先端縁は前記窓用ガラスの側縁部分と接して同窓用ガラスを支持するようにしている。
これによって、窓用ガラスは発光バルブの前面において両端部及び側縁部分によってしっかりと保持されることとなる。しかも、発光バルブは窓用ガラスと反射部材によって周囲を完全に包囲することとなるため、熱が反射部材の後面側に逃げにくくなる。
第６の手段では第１〜第５の手段に加え、前記ケースの外周を植毛処理している。これによってケース表面積を大きくして熱を分散及び放熱させることができ、作業時に作業者が万一接触しても熱さを感じにくくなる。
【考案の効果】
【０００９】
上記各請求項の考案では、ランプユニットは筒状のケース内に収容され、その発光バルブがケースの胴部の照明用窓孔に面して配置されることとなり、従来の照明装置とは異なりケースの端部から照明するのではなく、ケースの側面方向から照明することができるので、狭い場所にもセットすることが容易となる。更に、発光バルブ周囲に配置された窓用ガラス及び反射部材もケースと直接接することがないように保持されているため、発光バルブ近傍で熱せられた窓用ガラス及び反射部材の熱がケースに伝わりにくく、また窓用ガラス及び反射部材はケースとの間に空隙を構成するため、ケース内の熱はこの空隙を通して照明用窓孔から放熱されることとなるためケース内に熱がこもりにくい。従って、ケースが熱くなりにくく、狭い場所に設置するのに最適な照明装置となる。
【考案を実施するための最良の形態】
【００１０】
以下、本考案の照明装置を具体化した実施の形態を図面に基づいて説明する。以下の説明において、説明の便宜上図３における右方を上方とし、左方を下方とする。また、図１のように照明用窓孔１３が上方に配置された状態において照明用窓孔１３のある方（図３における上方）を前方とし、逆方向を後方とする。
図１〜図３に示すように、照明装置１１は両端が開口した円筒形状のケース１２を備えている。アルミ合金製のケース１２の上半身側に長方形形状の照明用窓孔１３が形成されている。図１及び図３に示すように、照明用窓孔１３はその開口幅においてケース１２の全周の約１／６を占め（つまり約６０度の弧長）、長手方向の開口長さにおいてはケース１２の全長の半分弱とされている。
図１における照明用窓孔１３を上方に配置した状態においてケース１２の左右の上下方向の中央位置（中心位置）から底部寄りにかけて所定間隔でそれぞれ１０個（両面で計２０個）の放熱孔１５が透設されている。図１０に示すように、各側の放熱孔１５のうち、６個は胴部の上下方向中央位置において胴部の長手方向に沿って配置され、残りの４個はこれら６個の放熱孔１５と前後方向にずれた位置において胴部の長手方向に沿って配置されている。図１、図３及び図９に示すように、最も後方寄りの放熱孔１５は長孔状に構成されその他の放熱孔１５は円形に構成されている。
図２に示すように、ケース１２の下半身側側面にはケーブル用透孔１７が透設されている。ケース１２の前後両端寄り及び中央には等間隔にそれぞれ４つのネジ用小透孔１８が透設されている。
【００１１】
ケース１２の両端には仕切部材としての第１及び第２の蓋部２０，２１が配設されている。蓋部２０，２１は円盤状のアルミ合金製の板体から構成されている。両蓋部２０，２１はそれぞれケース１２内に嵌合される扁平円柱形状の嵌合部２４と、ケース１２の端部を外方から覆うケース１２外径と同径に形成されたフランジ部２５とから構成されている。各嵌合部２４の外周には前記小透孔１８と対応する４つのネジ孔２３が穿設されている。各フランジ部２５の外面にはステー取り付け用の取り付け孔２６が穿設されている。両蓋部２０，２１は嵌合部２４をケース１２のそれぞれ端部開口に嵌合させ、フランジ部２５を端部に付き当てた状態で小透孔１８を介してネジ孔２３に皿ネジ２７を螺合させることによってケース１２に固着されている。
図２、図３及び図５に示すように、第１の蓋部２０の嵌合部２４の内面には同嵌合部２４の外径より若干小径の円形に周回する第１の嵌合溝２８が形成されている。図２に示すように、第１の嵌合溝２８の内周側であって１８０度対向する位置には一対の反射板取り付け用のネジ孔２９が穿設されている。
【００１２】
ケース１２の内部中央には仕切部材としての第３の蓋部３０が配設されている。第３の蓋部３０はドーナツ状のアルミ合金製の板体から構成されている。図２〜図４、図７及び図８に示すように、第３の蓋部３０は扁平した円柱状の本体３１の中央に断面円形形状の大透孔３２が穿設された中空の外形形状をなしている。第３の蓋部３０の外周には前記小透孔１８と対応する４つのネジ孔２３が穿設されている。第３の蓋部３０の第１の蓋部２０側を向いた面（上面側）には前記第１の嵌合溝２８と同径の円形に周回する第２の嵌合溝３３が形成されている。第３の蓋部３０の第２の蓋部２１側を向いた面（下面側）には大透孔３２周縁にリング状に凹部３５が形成されている。図７及び図８に示すように、凹部３５の境界上には軸方向に沿って１８０度対向する位置に２つのユニット固定用ネジ孔３６が穿設されている。
第３の蓋部３０はケース１２内の上下方向中央位置において小透孔１８を介してネジ孔２３に皿ネジ２７を螺合させることによってケース１２に固着されている。第３の蓋部３０がケース１２内に配設された状態で第２の嵌合溝３３は前記第１の蓋部２０側の第１の嵌合溝２８と対向配置させられる。
【００１３】
ケース１２内にはランプユニット４０が配設されている。ランプユニット４０はソケット４１とケーブル４２及び発光バルブ４３から構成されている。本実施の形態の発光バルブ４３はいわゆるＨＩＤランプ（High  Intensity  Discharge  Lamp）とされている。図２及び図３に示すように、ソケット４１は取り付けフランジ４５を備え、同取り付けフランジ４５は前記第３の蓋部３０の凹部３５内に嵌合されている。図７に示すように、ソケット４１は取り付けフランジ４５を小透孔１８を凹部３５内に嵌合させた状態で押さえ板４７を介してユニット固定用ネジ孔３６に取り付けネジ４８を螺合させることによって第３の蓋部３０に固着されている。発光バルブ４３はソケット４１の取り付けフランジ４５から上方に向かって延出され、第３の蓋部３０の大透孔３２を通して前記照明用窓孔１３に面した位置に配置される。ケーブル４２は合成ゴム製のシース４４によって導かれ前記ケーブル用小透孔１７からケース１２外に延出されている。
【００１４】
第１の蓋部２０と第３の蓋部３０との間には窓ガラス４８と反射部材としての反射板４９が配設されている。
窓ガラス４８は発光バルブ４３の前方であって、前記第１の蓋部２０と第３の蓋部３０との間に架設されている。図４及び図５に示すように、窓ガラス４８は平面視において長方形形状をなす湾曲した板体とされている。窓ガラス４８は前記第１及び第２の嵌合溝２８，３３の溝幅と略同じ厚み（僅かに溝幅より薄い）に構成されるとともに、両嵌合溝２８，３３の曲率と同じ曲率の湾曲に形成されている。窓ガラス４８の前端は第１の嵌合溝２８内に挿入され、後端は第２の嵌合溝３３内に挿入されている。
【００１５】
反射板４９は発光バルブ４３の左右及び下方域を包囲するように前記第１の蓋部２０と第３の蓋部３０との間に架設されている。図４〜図６に示すように、反射板４９は発光バルブ４３側に向いた内面を鏡面仕上げしたステンレス合金製の板体を折り曲げ形成して構成されている。反射板４９は発光バルブ４３後面に水平に配置された後部反射板５０と、同後部反射板５０を基部として前方に延出された一対の左右反射板５１，５２とから構成されている。図３〜図６に示すように、後部反射板５０の両端の挿入端５０ａは第１及び第２の嵌合溝２８，３３内に挿入されている。図４及び図５に示すように、挿入端５０ａは自身の上面中央位置と下面角寄りにて両嵌合溝２８，３３内の内壁と接し保持されている。左右反射板５１，５２の上縁は外方に若干倒伏するように折り曲げられたガラス支持部５３とされている。ガラス支持部５３は裏面側から窓ガラス４８の側縁部分と線状に接して同窓ガラス４８を左右方向から支持している。これによって発光バルブ４３は窓ガラス４８と反射板４９によってその周囲が包囲されることとなっている。また、ケース１２と窓ガラス４８及び反射板４９との間には空隙Ｓが形成されることとなる。
左右反射板５１，５２の上縁（第１の蓋部２０側）には取り付け片５５が張り出し形成されている。取り付け片５５にはネジ孔５６が形成されている。図４に示すように、ネジ孔５６を反射板取り付け用のネジ孔２９に照合させた状態で取り付けネジ５７を取り付け片５５を介して反射板取り付け用のネジ孔２９に螺合させることによって反射板４９は第１の蓋部２０に固着されている。
【００１６】
このように構成された照明装置１１はケース１２の外周面と第１及び第２の蓋部２０，２１の外部露出面に対して植毛処理がなされている。植毛は公知の静電植毛工程（外周面への接着剤の塗布→静電植毛→余剰パイル除去→乾燥）によって実行されている。
このように構成された照明装置１１には図１及び図９に示すようにステー６１がネジ６２によって前記ステー取り付け用の取り付け孔２６に所望の向きで取り付けられる。そして例えば図１０に示すように、照明装置１１を電源部を兼ねた制御装置６５とともに車載させ、ＣＣＤカメラ６６とともに撮影したい場所にステー６１を介して取り付けるようにする。
【００１７】
上記のように構成することで本実施の形態の照明装置１１では次のような効果を奏する。
（１）ケース１２内に収容されたランプユニット４０はその発光バルブ４３がケースの胴部に形成された照明用窓孔１３に面して配置されることとなり、ケース１２の側面方向から照明することができるので、狭い場所にセットすることが可能となる。
（２）発光バルブ４３前方に配置される窓ガラス４８はケース１２と直接接することがないように第１及び第３の蓋部２０，３０に保持され、同じく反射板４９もケース１２と直接接することがないように第１及び第３の蓋部２０，３０に保持されている。そのため、発光バルブ４３近傍で熱せられた窓ガラス４８及び反射板４９の熱がケース１２に伝わりにくくく、ケース１２が熱くなりにくくなっている。
（３）発光バルブ４３は窓ガラス４８及び反射板４９によって全周囲を包囲されケース１２との間に空隙Ｓを構成している。そのため、ケース１２内の熱はこの空隙Ｓを通して照明用窓孔１３から放熱されることとなるため、冷却効果が大きい。
（４）反射板４９の背面側において放熱孔としての放熱孔１５が形成されているため空隙Ｓをの熱気は照明用窓孔１３に加えてこの放熱孔１５からも放熱されることとなるため、冷却効果が大きい。この場合、放熱孔１５は反射板４９の前面側には形成されていないので照明用窓孔１３に集中させた光が分散されてしまうことはない。
（５）ランプユニット４０のソケット４１及びケーブル４２が収容されたケース１２の下半身側にも放熱孔１５が形成されているため、第２及び第３の蓋部２１，３０間にこもった熱気も放熱されることとなるため、冷却効果が大きい。
（６）窓ガラス４８の側縁を反射板４９で支持する構造となっているため、窓ガラス４８はケース１２と接しないにも関わらずしっかりと保持されることとなる。
（７）照明装置１１の外周に露出した部分は植毛処理が施されている。これによって外表面の表面積を大きくして熱を分散及び放熱させることができ、作業時に作業者が万一接触しても熱さを感じにくくなる。
【００１８】
尚、この考案は、次のように変更して具体化することも可能である。
・上記実施の形態では発光バルブ４３としてＨＩＤランプを使用したが、他のバルブを使用することは自由である。例えばハロゲンバルブ等の高輝度バルブを使用することも可能である。
・複数の発光バルブ４３を直列に配置するようにしてもよい。
・照明装置１１はＣＣＤカメラ６６によるスチール写真の撮影以外に、映像として撮影する場合に使用することも可能である。
・放熱孔１５は反射板４９の前面でなければその位置、形状、大きさは自由に変更可能である。
・ケース１２は上記実施の形態では円筒形形状であったが、他の形状に構成することも自由である。
・反射板４９の形状は上記実施の形態に限定されるものではない。また、上記実施の形態では第１の蓋部２０に固着したが第３の蓋部３０側で固着してもよい。
・照明用窓孔１３の大きさや形状も用はケースの側面方向を照明できるものであれば限定されるものではない。窓ガラス４８の形状も照明用窓孔１３に応じて変更可能である。
・その他、本考案の趣旨を逸脱しない態様で実施することは自由である。
【図面の簡単な説明】
【００１９】
【図１】本考案の実施の形態のステーが付属した照明装置の斜視図。
【図２】同じ照明装置の平断面図。
【図３】同じ照明装置の縦断面図。
【図４】図３におけるＡ−Ａ方向での断面図。
【図５】図３におけるＢ−Ｂ方向での断面図。
【図６】ケース内の構造を説明する説明図。
【図７】ランプユニットの第３の蓋部への取り付け方法を説明する説明図。
【図８】第３の蓋部の側面図。
【図９】同じ照明装置の取り付け状態を説明する説明図。
【図１０】同じ照明装置を車両に搭載した状態の概念図。
【図１１】従来の照明装置の斜視図。
【符号の説明】
【００２０】
１１…照明装置、１２…ケース、１３…照明用窓孔、１５…放熱孔、４０…ランプユニット、４３…発光バルブ、４８…窓用ガラスとしての窓ガラス、４９…反射部材としての反射板。
【図１】
0003115033.tif 000003
【図２】
0003115033.tif 000004
【図３】
0003115033.tif 000005
【図４】
0003115033.tif 000006
【図５】
0003115033.tif 000007
【図６】
0003115033.tif 000008
【図７】
0003115033.tif 000009
【図８】
0003115033.tif 000010
【図９】
0003115033.tif 000011
【図１０】
0003115033.tif 000012
【図１１】
0003115033.tif 000013